(57)【要約】【課題】  エレベータのかご上方に上面が平坦な作業床を備えるとともに、かご天井の意匠及びかご天井部に設けられる照明器具や制御機器等のかご付属機器の配置を自由に設定することができるエレベータのかご構造を得る。【解決手段】  エレベータ昇降路内を昇降するかごと、このかごを支持するかご枠と、このかご枠のうちかごの上方に位置する上枠に設けられた支持台と、この支持台に設けられ、上面が平坦で且つ上枠及び支持台よりも上方に位置する作業床とを備える。【選択図】      図１
2005145619.tif 000002
【特許請求の範囲】
【請求項１】
エレベータ昇降路内を昇降するかごと、このかごを支持するかご枠と、このかご枠のうち前記かごの上方に位置する上枠に設けられた支持台と、この支持台に設けられ、上面が平坦で且つ前記上枠及び前記支持台よりも上方に位置する作業床とを備えたことを特徴とするエレベータのかご構造。
【請求項２】
前記作業床は、分割構造からなり、少なくとも前記作業床の一部が脱着可能であることを特徴とする請求項１に記載のエレベータのかご構造。
【請求項３】
前記作業床は、多数の開口部が設けられたことを特徴とした請求項１又は請求項２に記載のエレベータのかご構造。
【請求項４】
前記作業床は、パンチングメタル又はエキスパンドメタルから成ることを特徴とする請求項３に記載のエレベータのかご構造。
【発明の詳細な説明】
【技術分野】
【０００１】
この発明は、エレベータのかご構造に関するものである。
【背景技術】
【０００２】
従来のエレベータのかごの構造には、エレベータのかごの天井部を上面部が平坦で且つ内部が収納空所となった箱とし、この天井部内に照明器具、換気扇、制御機器等のかご付属機器を天井部の平坦な上面部に突出しないように内装したものがある（例えば、特許文献１参照）。
【０００３】
【特許文献１】特開２０００−１６７２５号公報
【発明の開示】
【発明が解決しようとする課題】
【０００４】
特許文献１記載のエレベータのかごの構造では、かご天井部に、上面部が平坦で且つ内部が収容空所となった箱が設けられ、この天井部内に、照明器具、換気扇、制御機器等のかご付属機器が、平坦な上面部に突出しないように内装されている。このため、エレベータ昇降路内に設けられたガイドレールやリミットスイッチ等の保守及び点検を行う際には、作業者はこの箱の上面部に乗って作業することができ、作業中にかご付属機器に邪魔されることなく確実に足場を確保することができる。しかし、内部が収容空所となったこの箱は、かご天井に設けられてかごと一体化しているため、かご天井の意匠毎に設計する必要性がある。このため、多種多様に渡るエレベータのかご天井によって箱の設計には時間を要し、さらに部品の共通化を図ることができずにコストが高くなるという問題があった。また、この箱の上面に点検用開口部が設けられたものや、かごの内側に開く開閉蓋がかご天井部に設けられ、この開閉蓋にかご付属機器が設置されたもの等も考えられているが、かご付属機器の保守及び点検のためには、かご付属機器を点検用開口部又は開口蓋付近に設置する必要があるため、かご付属機器の配置に制約を受けてしまうという問題も生じていた。
【０００５】
この発明は、上述のような課題を解決するためになされたもので、その目的は、エレベータのかご上方に上面が平坦な作業床を備えるとともに、かご天井の意匠及びかご天井部に設けられるかご付属機器の配置を自由に設定することができるエレベータのかご構造を提供することである。
【課題を解決するための手段】
【０００６】
この発明に係るエレベータのかご構造は、エレベータ昇降路内を昇降するかごと、このかごを支持するかご枠と、このかご枠のうちかごの上方に位置する上枠に設けられた支持台と、この支持台に設けられ、上面が平坦で且つ上枠及び支持台よりも上方に位置する作業床とを備えたものである。
【発明の効果】
【０００７】
この発明は、エレベータ昇降路内を昇降するかごと、このかごを支持するかご枠と、このかご枠のうちかごの上方に位置する上枠に設けられた支持台と、この支持台に設けられ、上面が平坦で且つ上枠及び支持台よりも上方に位置する作業床とを備える構成としたことで、エレベータのかご上方に上面が平坦な作業床を備えても、かご天井の意匠及びかご天井部に設けられるかご付属機器の配置を自由に設定することができる。
【発明を実施するための最良の形態】
【０００８】
実施の形態１．
図１はこの発明の実施の形態１におけるエレベータのかごの斜視図、図２はこの発明の実施の形態１におけるエレベータのかご構造を説明するための図である。なお、図２は実施の形態１において後述する作業床７が設置されていない状態を示したものである。
【０００９】
図において、エレベータ昇降路内を昇降するかご１は、周囲を囲むかご四周壁１ａ、下部に設けられたかご床１ｂ、上部に設けられたかご天井１ｃ及びかご四周壁１ａの一面（正面）に設けられ、乗客が乗降する際に開閉するかご戸２から構成されている。このかご１は、四角環状を呈するかご枠３に固定され、その上下及び両側部がこのかご枠３によって囲まれている。ここで、このかご枠３は、かご床１ｂの対向する両側部中央にそれぞれ設けられ、その上部及び下部がかご天井１ｃ上面及びかご床１ｂ下面の位置からそれぞれ突出した縦枠３ａ、かご床１ｂの下方でこの縦枠３ａに渡って設けられた下枠（図示せず）、かご天井１ｃの上方で縦枠３ａに渡って設けられた上枠３ｂから構成されている。この上枠３ｂには、角形鋼管によって略四角環状に形成された、後述する作業床７を支持するための支持台からなる四周枠４が、かご天井１ｃ上面と所定の間隙を有し、且つ四周枠４の上面が上枠３ｂ上面と略同高さとなるように設けられている。この四周枠４及び上枠３ｂの上部には、上面が平坦で、且つかご戸２側を除くその周囲に立上部７ａが形成された板状の作業床７が、かご天井１ｃのほぼ全面に渡って設けられるとともに、かご戸２側を除く作業床７の周囲に、所定の高さを有する安全柵８が設けられている。また、かご天井１ｃと作業床７との間には、照明器具５ａ、換気扇５ｂ及び制御機器６等のかご付属機器が所定の位置にそれぞれ設けられている。なお、１０ａ、１０ｂ、１０ｃはエレベータ昇降路壁又は昇降路梁に設けられた巻上機、制御盤等をそれぞれ模式的に表したものである。
【００１０】
この発明の実施の形態１によれば、照明器具５ａ、換気扇５ｂ及び制御機器６等のかご付属機器は、かご天井１ｃと作業床７との間に設けられているため、エレベータの四周枠４及び上枠３ｂの上方に設けられている作業床７の上面は、障害物となるようなものが設置されておらず、平坦になっている。したがって、この作業床７に乗ってエレベータ昇降路壁等に設けられた巻上機１０ａや制御盤１０ｂ及び１０ｃ、ガイドレール（図示せず）等の保守及び点検を行う際には、確実に足場を確保することができ、安全に且つ効率良く作業を行うことができる。また、この作業床７は、同じくかご１上方に設置されたかご枠３の上枠３ｂ及び四周枠４の上部に設けられてかご天井１ｃとは別構造となっているため、かご天井１ｃの意匠に関わらず、作業床７を設置することが可能であり、保守点検毎に作業床７を設置及び撤去する必要がない。さらに、かご天井１ｃの意匠に応じて作業床７の構造を変更する必要がないため、部品の共通化や作業時間及び作業コストの削減を図ることが可能となる。また、照明器具５ａ、換気扇５ｂ及び制御機器６等のかご付属機器を、かご天井１ｃと作業床７との間の自由な位置に配置することが可能となるので、これらかご付属機器の設置位置のためにかご天井１ｃの意匠が制限されることもない。なお、実施の形態１では、作業床７が支持台からなる四周枠４と上枠３ｂとの両方に設けられているが、作業床７とかご天井１ｃとを別構造とすれば実施の形態１と同様の効果が得られるため、上枠３ｂの上部に支持台からなる四周枠４が設けられ、この四周枠４の上部に作業床７が設けられる構成としても良い。
【００１１】
実施の形態２．
図３はこの発明の実施の形態２におけるエレベータのかごの斜視図、図４はこの発明の実施の形態２におけるエレベータのかご構造を説明するための図である。なお、図４は実施の形態２において後述する作業床９の一部の分割パネル作業床９ａ及び９ｂが取り外された状態を示したものである。
【００１２】
図において、四周枠４及び上枠３ｂの上部に、かご天井１ｃのほぼ全面に渡って設けられた作業床９は、上面が平坦で、且つかご戸２側を除くその周囲に立上部９ｇが形成されている。この作業床９は、複数の分割パネル作業床９ａ〜９ｆからなる分割構造を有し、各々の分割パネル作業床９ａ〜９ｆは脱着可能な構成となっている。また、分割パネル作業床９ａ〜９ｆは、多数の開口部を有する構成（例えば、パンチングメタルやエキスパンドメタル等）を成しており、その他は、実施の形態１と同様の構成となっている。
【００１３】
この発明の実施の形態２によれば、実施の形態１と同様に、作業者は作業床９に乗ってエレベータ昇降路壁に設けられた制御盤１０ｂ及び１０ｃ等の保守及び点検を容易に行うことができるとともに、作業床９が分割構造を成し、各々の分割パネル作業床９ａ〜９ｆを取り外すことが可能であるため、かご天井１ｃと作業床９との間に設けられた照明器具５ａ、換気扇５ｂ及び制御機器６等のかご付属機器の保守及び点検をする際には、作業床９全体を取り外す必要がなく、必要な箇所の分割パネル作業床９ａ〜９ｆのみを取り外すことで作業を行うことができる。したがって、保守や点検等の作業時間を短縮し、且つ作業を安全に効率よく行うことが可能となる。さらに、この作業床９はパンチングメタルやエキスパンドメタル等のように多数の開口部を有しているため、保守や点検を行う作業者は、作業床９の上方から作業床９の下方に設置されたかご付属機器の位置を確認することができる。したがって、作業者は作業床９の上方から対象物の位置を容易に把握することができ、作業時間の短縮を図ることができる。また、どの位置の分割パネル作業床９ａ〜９ｆも脱着可能となっているため、かご付属機器の配置を自由に設定することができ、かご天井１ｃの意匠もかご付属機器の配置によって制限を受けることがない。かご天井１ｃに救出口（図示せず）を設置する場合には、その設置位置を自由に設定することができるとともに、作業床９の分割パネル作業床９ａ〜９ｆを下方から容易に取り外すことができるような構成とすることによって、作業床９に特別な開口部等を設ける必要もなくなる。
【００１４】
なお、この発明の実施の形態２では、作業床９の全体を分割構造とし、且つ全ての分割パネル作業床９ａ〜９ｆを着脱可能な構造としているが、必要に応じて、作業床９の一部のみを分割構造とし、且つ必要な場所の分割パネル作業床のみを着脱可能な構造としても、同様の効果を得ることは可能である。また、作業床９の支持台からなる四周枠４が、実施の形態１と同様に四角環状を呈しているが、作業床９を分割構造とした場合には、強度を高めたり、分割パネル作業床９ａ〜９ｆの脱着機構を追加したりするため、四周枠４を格子状等としても良い。
【図面の簡単な説明】
【００１５】
【図１】この発明の実施の形態１におけるエレベータのかごの斜視図である。
【図２】この発明の実施の形態１におけるエレベータのかご構造を説明するための図である。
【図３】この発明の実施の形態２におけるエレベータのかごの斜視図である。
【図４】この発明の実施の形態２におけるエレベータのかご構造を説明するための図である。
【符号の説明】
【００１６】
１  かご
１ａ  かご四周壁
１ｂ  かご床
１ｃ  かご天井
２  かご戸
３  かご枠
３ａ  縦枠
３ｂ  上枠
４  四周枠
５ａ  照明器具
５ｂ  換気扇
６  制御機器
７  作業床
７ａ  立上部
８  安全柵
９  作業床
９ａ〜９ｆ  分割パネル作業床
９ｇ  立上部
１０ａ  巻上機
１０ｂ、１０ｃ  制御盤
【図１】
2005145619.tif 000003
【図２】
2005145619.tif 000004
【図３】
2005145619.tif 000005
【図４】
2005145619.tif 000006